(57)【要約】【課題】データに手を加えることなく印字文字を容易に変えることを可能とする。【解決手段】複数のノズルｎを２列平行に設けたカートリッジ20を使用するインクジェットプリンタであって、複数のノズルの１列分のデータを格納するメモリ部14と、メモリ部に格納された１列分のデータよりも１つ前の１列分のデータを格納する１列データ格納部13と、メモリ部14内の１列分のデータと１列データ格納部13内の１列分のデータとの論理和をとり、その結果に基づいてノズルからのインク噴射を制御することによって、印字ドットの右隣のドットも印刷し、太文字印刷を実現させる制御部11とを備える。または、前記論理和の結果に基づいてノズルからのインク噴射を制御することによって、印字ドットの右隣下のドットも印刷し、影付き文字印刷を実現させる制御部11を備える。【選択図】  図２
2006188069.tif 000002
【特許請求の範囲】
【請求項１】
カートリッジに順番に並べて設けられた複数のノズルからインクを噴射して媒体の印刷を行うインクジェットプリンタにおいて、
前記複数のノズルを２列平行に設けたカートリッジを使用して、当該２列のノズル列間で隣り合うノズルから同時にインクを噴射し、これら同時に噴射されたインクによって互いに隣接するドットを形成することで太文字印刷を行うものであって、
前記複数のノズルの１列分のデータを格納するメモリ部と、
前記メモリ部に格納された１列分のデータよりも１つ前の１列分のデータを格納する１列データ格納部と、
前記メモリ部に格納された１列分のデータと前記１列データ格納部に格納された１列分のデータとの論理和をとり、その結果に基づいて前記ノズルからのインク噴射を制御することによって、印字ドットの右隣のドットも印刷し、太文字印刷を実現させる制御部と、
を備えたことを特徴としたインクジェットプリンタ。
【請求項２】
カートリッジに順番に並べて設けられた複数のノズルからインクを噴射して媒体の印刷を行うインクジェットプリンタにおいて、
前記複数のノズルを２列備え、前記２列の右側のノズルが左側のノズルよりも１ドット下がった段違いの２列平行のノズル列を有したカートリッジを使用し、前記２列の左側でデータの印刷の時、前記２列の右側で前記左側のデータを１ドット下げて同時に印刷を行うことによって影付き文字印刷を行うものであって、
前記複数のノズルの１列分のデータを格納するメモリ部と、
前記メモリ部に格納された１列分のデータよりも１つ前の１列分のデータを１ドット分下にシフトし、当該１ドットシフト後の１列分のデータを格納する１列データ格納部と、
前記メモリ部に格納された１列分のデータと前記１列データ格納部に格納された１列分のデータとの論理和をとり、その結果に基づいて前記ノズルからのインク噴射を制御することによって、印字ドットの右隣下のドットも印刷し、影付き文字印刷を実現させる制御部と、
を備えたことを特徴としたインクジェットプリンタ。
【発明の詳細な説明】
【技術分野】
【０００１】
本発明は、プリンタやファクシミリ等の文字や画像等の記録装置に適用されるインクジェットプリンタに関し、特に、ドライバ設定やカートリッジ交換を行うことで印刷文字を制御するインクジェットプリンタに関する。
【背景技術】
【０００２】
近年のパソコンの普及に伴い、多くの人がパソコンを利用する機会が増えてきた。そこで、１つのデータを複数の人で利用しているとき、人によっては自分の好みで文字種を変換してそのデータの印刷を行ないたいという要望があった。
【０００３】
従来のプリンタにおいては、アプリケーションで設定された文字種に従って印刷を行っていた。ところが、文字種だけを換えたいときにも、範囲の指定や文字の種類の指定を行う等の元のデータに手を加える必要があり、この時に、誤って元のデータを消してしまう危険がある。このため、サーバに格納されているデータや他人の作成したデータなど、勝手に変更できないデータは、一旦データをコピーしたり、あきらめてそのまま印刷することになっていた。
【発明の開示】
【発明が解決しようとする課題】
【０００４】
前記のような従来のものにおいては、次のような課題があった。
[1]：サーバに格納されているデータや他人の作成したデータなど、勝手に変更できないデータは、一旦データをコピーする手間が掛かっていた。
[2]：誤って上書きして重要なデータを壊してしまうことがあった。
[3]：文字種を換えるためにデータをコピーする等の時間がかかっていた。
【０００５】
本発明は、このような従来の課題を解決し、データに手を加えることなく印字文字を容易に変えることを可能とすることを目的とする。
【課題を解決するための手段】
【０００６】
本発明は前記従来の課題を解決するために、カートリッジに順番に並べて設けられた複数のノズルからインクを噴射して媒体の印刷を行うインクジェットプリンタにおいて、前記複数のノズルを２列平行に設けたカートリッジを使用して、当該２列のノズル列間で隣り合うノズルから同時にインクを噴射し、これら同時に噴射されたインクによって互いに隣接するドットを形成することで太文字印刷を行うものであって、前記複数のノズルの１列分のデータを格納するメモリ部と、前記メモリ部に格納された１列分のデータよりも１つ前の１列分のデータを格納する１列データ格納部と、前記メモリ部に格納された１列分のデータと前記１列データ格納部に格納された１列分のデータとの論理和をとり、その結果に基づいて前記ノズルからのインク噴射を制御することによって、印字ドットの右隣のドットも印刷し、太文字印刷を実現させる制御部と、を備えたことを特徴としている。
【０００７】
また、本発明の他の態様は、カートリッジに順番に並べて設けられた複数のノズルからインクを噴射して媒体の印刷を行うインクジェットプリンタにおいて、前記複数のノズルを２列備え、前記２列の右側のノズルが左側のノズルよりも１ドット下がった段違いの２列平行のノズル列を有したカートリッジを使用し、前記２列の左側でデータの印刷の時、前記２列の右側で前記左側のデータを１ドット下げて同時に印刷を行うことによって影付き文字印刷を行うものであって、前記複数のノズルの１列分のデータを格納するメモリ部と、前記メモリ部に格納された１列分のデータよりも１つ前の１列分のデータを１ドット分下にシフトし、当該１ドットシフト後の１列分のデータを格納する１列データ格納部と、前記メモリ部に格納された１列分のデータと前記１列データ格納部に格納された１列分のデータとの論理和をとり、その結果に基づいて前記ノズルからのインク噴射を制御することによって、印字ドットの右隣下のドットも印刷し、影付き文字印刷を実現させる制御部と、を備えたことを特徴としている。
【０００８】
図１は本発明の原理説明図である。図１中、１ａは制御部、２はインクジェットヘッド（プリントヘッド）、６は媒体、２０はカートリッジ、ｎはノズルである。
【０００９】
前記従来の課題を解決するために、本明細書では、さらに次のように構成された発明（１）〜（８）を開示する。
【００１０】
発明（１）：順番に並べて設けられた複数のノズルｎからインクを噴射して媒体６の印刷を行うインクジェットプリンタにおいて、前記複数のノズルｎの奇数番目又は偶数番目のみを使用して印刷を行う。
【００１１】
発明（２）：順番に並べて設けられた複数のノズルｎからインクを噴射して媒体６の印刷を行うインクジェットプリンタにおいて、前記複数のノズルｎの奇数番目と偶数番目とを交互に使用して印刷を行う。
【００１２】
発明（３）：カートリッジ２０に順番に並べて設けられた複数のノズルｎからインクを噴射して媒体６の印刷を行うインクジェットプリンタにおいて、前記ノズルｎからインクの出る量が少ないカートリッジ２０に交換して印刷を行う。
【００１３】
発明（４）：カートリッジ２０に順番に並べて設けられた複数のノズルｎからインクを噴射して媒体６の印刷を行うインクジェットプリンタにおいて、前記ノズルｎからインクの出る量が多いカートリッジ２０に交換して印刷を行う。
【００１４】
発明（５）：カートリッジ２０に順番に並べて設けられた複数のノズルｎからインクを噴射して媒体６の印刷を行うインクジェットプリンタにおいて、前記複数のノズルｎを２列平行に設け、該２列同時にインクの出るカートリッジ２０を使用して印刷を行う。
【００１５】
発明（６）：順番に並べて設けられた複数のノズルｎからインクを噴射して媒体６の印刷を行うための制御部１ａを有するインクジェットプリンタにおいて、前記制御部１ａで、印字ドットの右隣のドットも印刷する。
【００１６】
発明（７）：カートリッジ２０に順番に並べて設けられた複数のノズルｎからインクを噴射して媒体６の印刷を行うインクジェットプリンタにおいて、前記複数のノズルｎを２列備えたカートリッジ２０を設け、前記２列の左側でデータの印刷の時、前記２列の右側で前記左側のデータを１ドット下げて同時に印刷する。
【００１７】
発明（８）：順番に並べて設けられた複数のノズルｎからインクを噴射して媒体６の印刷を行うための制御部１ａを有するインクジェットプリンタにおいて、前記制御部１ａで、印字ドットの右隣下のドットも印刷する。
【００１８】
（作用）上記した各発明（１）〜（８）の構成に基づく作用を説明する。インクジェットプリンタにおいて、複数のノズルｎの奇数番目又は偶数番目のみを使用して印刷を行う。このため、多少印字結果が薄くても読めればよいという場合に、データを変えることなく印字文字を変えることができ、インクの節約をすることができる。
【００１９】
また、インクジェットプリンタにおいて、複数のノズルｎの奇数番目と偶数番目とを交互に使用して印刷を行う。このため、多少印字結果が薄くても読めればよいという場合に、データを変えることなく印字文字を変えることができ、インクの節約をすることができ、書けなくなる線をなくすことができる。
【００２０】
さらに、インクジェットプリンタにおいて、ノズルｎからインクの出る量が少ないカートリッジ２０に交換して印刷を行う。このため、多少印字結果が薄くても読めればよいという場合に、データを変えることなく印字文字を変えることで、インクの節約をすることができる。
【００２１】
また、インクジェットプリンタにおいて、ノズルｎからインクの出る量が多いカートリッジ２０に交換して印刷を行う。このため、データを変えることなく濃度の濃い印字文字に変えることができる。
【００２２】
さらに、インクジェットプリンタにおいて、カートリッジ２０の２列平行の複数のノズルｎから同時にインクを出して印刷を行う。このため、データを変えることなく太文字で印刷が可能となる。
【００２３】
また、インクジェットプリンタにおいて、制御部１ａで、印字ドットの右隣のドットも印刷する。このため、データを変えることなく通常のノズルを使用して太文字で印刷が可能となる。
【００２４】
さらに、インクジェットプリンタにおいて、カートリッジ２０に複数のノズルｎを２列備え、前記２列の左側でデータの印刷の時、前記２列の右側で前記左側のデータを１ドット下げて同時に印刷する。このため、影付き文字印刷を、データを変えることなく行うことが可能となる。
【００２５】
また、インクジェットプリンタにおいて、制御部１ａで、印字ドットの右隣下のドットも印刷する。このため、データを変えることなく通常のノズルを使用して影付き文字で印刷が可能となる。
【００２６】
上記した発明（１）〜（８）によれば次のような効果がある。
【００２７】
（１）：複数のノズルｎの奇数番目又は偶数番目のみを使用して印刷を行うため、多少印字結果が薄くても読めればよいという場合に、データを変えることなく印字文字を変えることができ、インクの節約をすることができる。
【００２８】
（２）：複数のノズルの奇数番目と偶数番目とを交互に使用して印刷を行うため、多少印字結果が薄くても読めればよいという場合に、データを変えることなく印字文字を変えることができ、インクの節約をすることができ、また、書けない線をなくすことができる。
【００２９】
（３）：ノズルからインクの出る量が少ないカートリッジに交換して印刷を行うため、多少印字結果が薄くても読めればよいという場合に、データを変えることなく印字文字を変えることで、インクの節約をすることができる。
【００３０】
（４）：ノズルからインクの出る量が多いカートリッジに交換して印刷を行うため、データを変えることなく濃度の濃い印字文字に変えることができる。
【００３１】
（５）：カートリッジの２列平行の複数のノズルから同時にインクを出して印刷を行うため、データを変えることなく太文字で印刷が可能となる。
【００３２】
（６）：制御部で、印字ドットの右隣のドットも印刷するため、データを変えることなく通常のノズルを使用して太文字で印刷が可能となる。
【００３３】
（７）：カートリッジに複数のノズルを２列備え、前記２列の左側でデータの印刷の時、前記２列の右側で前記左側のデータを１ドット下げて同時に印刷するため、影付き文字印刷を、データを変えることなく行うことが可能となる。
【００３４】
（８）：制御部で、印字ドットの右隣下のドットも印刷するため、データを変えることなく通常のノズルを使用して影付き文字で印刷が可能となる。
【発明の効果】
【００３５】
請求項１に係る発明によれば、カートリッジの２列平行の複数のノズルから同時にインクを出して印刷を行うため、データを変えることなく太文字で印刷が可能となる。
【００３６】
また、請求項１に係る発明によれば、制御部で、印字ドットの右隣のドットも印刷するため、データを変えることなく通常のノズルを使用して太文字で印刷が可能となる。
【００３７】
請求項２に係る発明によれば、カートリッジに複数のノズルを２列備え、前記２列の左側でデータの印刷の時、前記２列の右側で前記左側のデータを１ドット下げて同時に印刷するため、影付き文字印刷を、データを変えることなく行うことが可能となる。
【００３８】
また、請求項２に係る発明によれば、制御部で、印字ドットの右隣下のドットも印刷するため、データを変えることなく通常のノズルを使用して影付き文字で印刷が可能となる。
【発明を実施するための最良の形態】
【００３９】
図２〜図９は本発明の実施の形態を示した図であり、以下、図面に基づいて本発明の実施の形態を説明する。
【００４０】
（１）：インクジェットプリンタの構成の説明
図２はインクジェットプリンタの構成図である。図２において、インクジェットプリンタには、全体の制御装置１、インクジェットヘッド（プリントヘッド）２、インクジェットヘッド駆動回路３、圧電素子駆動回路４、印字媒体搬送用駆動回路５、印字媒体６が設けてある。そして、全体の制御装置１には、主制御部１１、データ格納部１２、１列データ格納部１３、メモリ部１４、ノズル制御部１５が設けてあり、インクジェットヘッド２には、カートリッジ２０、ノズルｎが設けてある。なお、カートリッジ２０のノズルｎから噴射したインク粒子７が示されている。
【００４１】
全体の制御装置１は、インクジェットプリンタ全体の制御を行うものである。インクジェットヘッド２は、圧電素子（図示省略）に圧電素子駆動回路４から駆動電圧を印加することによりノズルｎからインク粒子７を噴射するものである。インクジェットヘッド駆動回路３は、インクジェットヘッド移動装置（図示省略）を駆動し、ノズルｎを印字媒体６の所定の位置に移動させるものである。
【００４２】
圧電素子駆動回路４は、圧電素子に印加する電圧を発生するものである。印字媒体搬送用駆動回路５は、印字を行う印字媒体６を印字媒体搬送装置（図示省略）を駆動して搬送するものである。印字媒体６は、紙等の印刷媒体である。カートリッジ２０は、インクを噴射する複数のノズルｎを持ち、交換が可能なものである。
【００４３】
（２）：全体の制御装置の説明
図３は全体の制御装置の説明図である。図３において、全体の制御装置１には、主制御部１１、データ格納部１２、１列データ格納部１３、メモリ部１４、ノズル制御部１５が設けてある。
【００４４】
主制御部１１は、プリンタ内の主制御を行うものである。データ格納部１２はパソコンからプリンタドライバを通して送られてきたデータを格納するものである。１列データ格納部１３は、ノズル一列分のデータを格納するものである。メモリ部１４は、データを格納するものである。ノズル制御部１５は、インク粒子７を噴射するプリントヘッドのノズルｎを制御するためのものである。
【００４５】
この全体の制御装置１の動作は、主制御部１１が、プリンタドライバから受けたデータをデータ格納部１２に格納して解析し、プリンタドライバで通常の文字印刷を行う設定がされていれば、ノズル制御部１５からプリントヘッドへデータを送り、ノズルからインクを出して印刷を行うものである。
【００４６】
（３）：ドラフト印刷を行う場合の説明
図４はドラフト印刷を行う場合の説明図であり、図４（ａ）はカートリッジの説明、図４（ｂ）は印刷結果の説明である。
【００４７】
図４（ａ）において、プリントヘッドのカートリッジには、縦一列に４８のノズル（ノズル１〜ノズル４８）が設けてある。このような縦一列のノズルを用いてドラフト印刷を行う場合は、次の[1]、[2] がある。
【００４８】
[1]：ノズルの奇数部又は偶数部を用いる場合
主制御部１１が、プリンタドライバから受けたデータをデータ格納部１２に格納して解析し、プリンタドライバでドラフト文字印刷を行う設定がされていれば、ノズル制御部１５にノズルの奇数部又は偶数部のみを使用することをセットし、図４（ａ）に示すノズルの奇数部（ノズル１、３、５、・・・４７）又は偶数部（ノズル２、４、８、・・・４８）からインクを出して印刷を行う。
【００４９】
このように、多少印字結果が薄くても読めればよいという場合に、データを変えることなく印字文字を変えることができ、インクの節約（約半分の量）をすることができる。
【００５０】
[2]：ノズルの奇数部と偶数部を交互に用いる場合
主制御部１１が、プリンタドライバから受けたデータをデータ格納部１２に格納して解析し、プリンタドライバでドラフト文字印刷を行う設定がされていれば、ノズル制御部１５にノズルの奇数部と偶数部を交互に使用することをセットし、図４（ａ）に示すノズルの奇数部（ノズル１、３、５、・・・４７）と偶数部（ノズル２、４、８、・・・４８）から交互にインクを出して印刷を行う。
【００５１】
図４（ｂ）のｂは、ノズルの奇数部と偶数部を交互に用いて、４８×４８ドットの全黒の印字結果を拡大して示している。図４（ｂ）のａは、全黒を印字した場合の通常（全ノズルを使用）の印字結果である。
【００５２】
このように、図４（ｂ）のｂの文字印刷では、多少印字結果が薄くても読めればよいという場合に、データを変えることなく印字文字を変えることができ、インクの節約（約半分の量）をすることができる。また、前記[1]のノズルの奇数部又は偶数部のみを用いる場合に比べ、ヘッド移動方向の細い線等の書けない線をなくすことができる。
【００５３】
（４）：インクの出る量を変える場合の説明
図５はノズルから出るインクの量を変える場合の説明図であり、図５（ａ）はインクの出る量を少なくする場合の説明、図５（ｂ）はインクの出る量を多くする場合の説明である。
【００５４】
[1]：インクの出る量を少なくする場合
図５（ａ）において、インクの出る量が通常のものより少なくなるように、ノズルｎの穴が小さいプリントヘッドを持つカートリッジに変えて印刷を行う。
【００５５】
このような文字印刷では、多少印字結果が薄くても読めればよいという場合に、データを変えることなく印字文字を変えることで、インクの節約をすることができる。
【００５６】
[2]：インクの出る量を多くする場合
図５（ｂ）において、インクの出る量が通常のものより多くなるように、ノズルｎの穴の径が大きいプリントヘッドを持つカートリッジに変えて印刷を行う。
【００５７】
このような文字印刷では、データを変えることなく濃度の濃い印字文字に変えることができる。
【００５８】
（５）：太文字印刷の説明
[1]：２列平行のノズルを持つ場合の説明
図６は太文字印刷の説明図であり、図６（ａ）はノズルの説明である。
【００５９】
図６（ａ）において、インクカートリッジの縦二列に４８のノズル（ノズル１〜ノズル４８）が設けてある。１つのノズルから出るインクの量は通常と同じであるが、平行に２列あるノズルで、左側のノズルからインクが出る時、隣り合う右側のノズルからもインクが出るようにする。このようなノズルを持つカートリッジに変えて印刷を行うことにより、データを変えることなく太文字で印刷が可能となる。
【００６０】
[2]：プリンタドライバで設定する場合の説明
図７は太文字印刷の処理フローチャート、図６（ｂ）は印刷結果の説明である。以下、図７、図６（ｂ）に基づいて、説明をする。
【００６１】
主制御部１１では、プリンタドライバから受けたデータをデータ格納部１２で解析し、プリンタドライバで太文字印刷を行う設定がされていればデータ格納部１２からノズルの１ライン（列）分のデータをメモリ部１４にセットし、１列データ格納部１３のデータとＯＲ（論理和）をとり、その結果をノズル制御部１５へセットし、メモリ部１４にセットしてあったデータを１列データ格納部１３へセットし、ノズル制御部１５からプリントヘッドへデータを送り印刷を行うものである。以下、図７の処理Ｓ１〜処理Ｓ９に従って説明をする。
【００６２】
Ｓ１：まず、主制御部１１は、１列データ格納部１３に全白を格納し、処理Ｓ２に移る。
【００６３】
Ｓ２：主制御部１１は、プリンタドライバから受けたデータをデータ格納部１２に格納し、処理Ｓ３に移る。
【００６４】
Ｓ３：主制御部１１は、プリンタドライバで太文字印刷を行う設定がされているかどうか判断する。この判断で太文字印刷を行う設定がされている場合は、処理Ｓ４に移り、もし太文字印刷を行う設定がされていない場合は、通常の印刷制御を行う。
【００６５】
Ｓ４：主制御部１１は、メモリ部１４にデータ格納部１２の１ライン分のデータを格納し、処理Ｓ５に移る。
【００６６】
Ｓ５：主制御部１１は、メモリ部１４の１ライン分のデータと１列データ格納部１３のデータとのＯＲ（論理和）をとり、その結果をノズル制御部１５へセットし、処理Ｓ６に移る。
【００６７】
Ｓ６：主制御部１１は、メモリ部１４にセットしてあったデータを１列データ格納部１３へセットし、処理Ｓ７に移る。
【００６８】
Ｓ７：主制御部１１は、ノズル制御部１５からプリントヘッドへデータを送り、印刷を行い、処理Ｓ８に移る。
【００６９】
Ｓ８：主制御部１１は、データ格納部１２に次の１ライン分のデータがあるかどうか判断する。この判断で次の１ライン分のデータがある場合は、処理Ｓ９に移り、もし次の１ライン分のデータがない場合は、この処理を終了する。
【００７０】
Ｓ９：主制御部１１は、データ格納部１２の次の１ライン分のデータをメモリ部１４に格納し、処理Ｓ５に戻るこのようにして、プリンタドライバから送られて来る実際のデータが図６（ｂ）のａのような場合、各列とその前の列の論理和をとることで印刷される結果は、図６（ｂ）のｂに示される通り太文字となる。このため、データを変えることなく通常のノズルを使用して太文字で印刷が可能となる。
【００７１】
（６）：影付き文字印刷の説明
[1]：段違いの２列のノズルを持つ場合の説明
図８は段違いの２列のノズルを持つ場合の説明図である。図８のように、プリントヘッドには、２列に４８のノズル（ノズル１〜ノズル４８及びノズル１’〜ノズル４８’）が設けてある。１つのノズルから出るインクの量は通常と同じであるが、右側の列のノズル（ノズル１’〜ノズル４８’）が左側のノズル（ノズル１〜ノズル４８）より１ドット下がっているプリントヘッドを使用し、左側のノズルからインクが出る時、１ドット下がった右側のノズルからもインクが出るようにする。
【００７２】
このようなノズルを持つカートリッジに変えて印刷を行うことにより、影付き文字印刷を、データを変えることなく行うことが可能となる。
【００７３】
[2]：プリンタドライバで設定する場合の説明
主制御部１１では、プリンタドライバから受けたデータをデータ格納部１２に格納して解析し、プリンタドライバで影付き文字印刷を行う設定がされていれば、データ格納部１２からノズルの縦１ライン（列）分のデータをメモリ部１４にセットし、１列データ格納部１３のデータとＯＲ（論理和）をとり、その結果をノズル制御部１５へセットし、メモリ部１４にセットしてあったデータを１ドットシフト（１ドット分下げる）して１列データ格納部１３へセットし、ノズル制御部１５からプリントヘッドへデータを送り印刷を行うものである。
【００７４】
図９は影付き文字印刷の処理フローチャートである。以下、図９の処理Ｓ１１〜処理Ｓ１９に従って説明をする。
【００７５】
Ｓ１１：主制御部１１は、１列データ格納部１３に全白を格納し、処理Ｓ１２に移る。
【００７６】
Ｓ１２：主制御部１１は、プリンタドライバから受けたデータをデータ格納部１２に格納し、処理Ｓ１３に移る。
【００７７】
Ｓ１３：主制御部１１は、プリンタドライバで影付き文字印刷を行う設定がされているかどうか判断する。この判断で影付き文字印刷を行う設定がされている場合は、処理Ｓ１４に移り、もし影付き文字印刷を行う設定がされていない場合は、通常の印刷制御を行う。
【００７８】
Ｓ１４：主制御部１１は、メモリ部１４にデータ格納部１２の１ライン分のデータを格納し、処理Ｓ１５に移る。
【００７９】
Ｓ１５：主制御部１１は、メモリ部１４の１ライン分のデータと１列データ格納部１３のデータとのＯＲ（論理和）をとり、その結果をノズル制御部１５へセットし、処理Ｓ１６に移る。
【００８０】
Ｓ１６：主制御部１１は、メモリ部１４にセットしてあったデータを１ドット分下にシフトして１列データ格納部１３へセットし、処理Ｓ１７に移る。
Ｓ１７：主制御部１１は、ノズル制御部１５からプリントヘッドへデータを送り、印刷を行い、処理Ｓ１８に移る。
【００８１】
Ｓ１８：主制御部１１は、データ格納部１２に次の１ライン分のデータがあるかどうか判断する。この判断で次の１ライン分のデータがある場合は、処理Ｓ１９に移り、もし次の１ライン分のデータがない場合は、この処理を終了する。
【００８２】
Ｓ１９：主制御部１１は、データ格納部１２の次の１ライン分のデータをメモリ部１４に格納し、処理Ｓ１５に戻るこのようにして、データを変えることなく通常のノズルを使用して影付き文字で印刷が可能となる。
【００８３】
以上説明したように、データに手を加えることなく、カートリッジを取り替えたりプリンタドライバで設定を行うだけで、容易に文字の太さやインクの濃度を変えて印刷でき、また、印刷速度の向上やインク使用量の削減にも寄与するところが大きい。
【図面の簡単な説明】
【００８４】
【図１】本発明の原理説明図である。
【図２】実施の形態におけるインクジェットプリンタの構成図である。
【図３】実施の形態における全体の制御装置の説明図である。
【図４】実施の形態におけるドラフト印刷を行う場合の説明図である。
【図５】実施の形態におけるノズルから出るインクの量を変える場合の説明図である。
【図６】実施の形態における太文字印刷の説明図である。
【図７】実施の形態における太文字印刷の処理フローチャートである。
【図８】実施の形態における段違いの２列のノズルを持つ場合の説明図である。
【図９】実施の形態における影付き文字印刷の処理フローチャートである。
【符号の説明】
【００８５】
１ａ 制御部
２ インクジェットヘッド（プリントヘッド）
６ 媒体
２０ カートリッジ
ｎ ノズル
【図１】
2006188069.tif 000003
【図２】
2006188069.tif 000004
【図３】
2006188069.tif 000005
【図４】
2006188069.tif 000006
【図５】
2006188069.tif 000007
【図６】
2006188069.tif 000008
【図７】
2006188069.tif 000009
【図８】
2006188069.tif 000010
【図９】
2006188069.tif 000011